(57)【要約】【課題】  特定波長の光を発光不能な情報処理端末においても潜在化されたコードの読み取りを可能とする端末用アダプタを得る。【解決手段】スマートフォンＰに設置され被読取面Ｓに対する読取部３を有するアダプタ本体１１と、読取部３に設けられて対向した被読取面ＳのドットコードＣに赤外光ＩＲを照射する光源１３ａ，１３ｂと、読取部３に設けられて被読取面Ｓからの反射光ＩＲ’を受光しスマートフォンＰの撮像部２２へと導光する近接レンズ１２とを備えた。【選択図】  図１
2013235532.tif 000002
【特許請求の範囲】
【請求項１】
撮像部を有する情報処理端末に装着されて被読取面に潜在するコードを特定波長の光によって読み取りを可能とする端末用アダプタであって、
前記情報処理端末に設置され前記被読取面に対する読取部を有するアダプタ本体と、
前記読取部に設けられて対向した前記被読取面のコードに前記特定波長の光を照射する光源と、
前記読取部に設けられて前記被読取面からの反射光を受光し前記情報処理端末の前記撮像部へと導光する光学系と、
を備えることを特徴とする端末用アダプタ。
【請求項２】
請求項１に記載の端末用アダプタであって、
前記アダプタ本体は、前記情報処理端末の側面に突き当てられて前記読取部を前記撮像部に位置決める突当部を備えた、
ことを特徴とする端末用アダプタ。
【請求項３】
請求項１又は２記載の端末用アダプタであって、
前記光学系は近接レンズである、
ことを特徴とする端末用アダプタ。
【請求項４】
請求項１〜３の何れか一項に記載の端末用アダプタであって、
前記被読取面の対向に応じて前記光源のＯＮ／ＯＦＦ制御を行う照射制御部を更に備える、
ことを特徴とする端末用アダプタ。
【請求項５】
請求項４記載の端末用アダプタであって、
前記照射制御部は、前記対向する被読取面の押圧によりＯＮとなるメカニカルスイッチである、
ことを特徴とする端末用アダプタ。
【請求項６】
請求項４記載の端末用アダプタであって、
前記照射制御部は、前記光学系から前記情報処理端末の前記撮像部へと至る光量の変化に基づいて前記光源のＯＮ／ＯＦＦ制御をする制御回路である、
ことを特徴とする端末用アダプタ。
【請求項７】
請求項４記載の端末用アダプタであって、
前記照射制御部は、前記読取部の表面に設けられたＣｄＳセンサ、及び、前記ＣｄＳセンサから送信される明暗の変化を示す信号に基づいて前記光源のＯＮ／ＯＦＦ制御をする制御回路である、
ことを特徴とする端末用アダプタ。
【請求項８】
請求項１〜７の何れか一項に記載の端末用アダプタであって、
前記光源に電源を供給する給電部を備える、
ことを特徴とする端末用アダプタ。
【請求項９】
請求項８記載の端末用アダプタであって、
前記給電部は前記アダプタ本体内に設けられた電池である、
ことを特徴とする端末用アダプタ。
【請求項１０】
請求項８記載の端末用アダプタであって、
前記給電部は前記アダプタ本体に設けられ前記情報処理端末に接続される電源端子である、
ことを特徴とする端末用アダプタ。
【請求項１１】
請求項１〜１０の何れか一項に記載の端末用アダプタであって、
前記端末用アダプタは前記アダプタ本体を前記情報処理端末に取り付ける取付具を備える、
ことを特徴とする端末用アダプタ。
【発明の詳細な説明】
【技術分野】
【０００１】
本発明は、撮像部を備えた情報処理端末に装着することで、潜在化されたコードの読み取りを可能にする端末用アダプタに関する。
【背景技術】
【０００２】
従来より、光センサを用いて絵本やゲームカードに印刷されたバーコードを読み取り、特定の音声を発音させる音声情報再生装置が用いられている。この音声情報再生装置は、読み込んだバーコードに対応した音声情報をメモリから読み出すことで多種の音声情報を再生できるようにしている。
【０００３】
しかし、このようなバーコードを用いた技術では、バーコードを紙面上の文字、図形、記号等に重ねて印刷することができないため、紙面上にバーコード印刷用の専用領域を確保しなければならない。そのため、これらの文字、図形、記号等に対して音声再生を行いたい場合には、文字等の近傍にバーコードを印刷する必要があり、こうした紙面は読者にとって煩わしいものとなっている。
【０００４】
そこで、読者の目を煩わせることなく、より大容量の情報を含めることのできる技術として、ドットコードを用いた技術が採用されている（特許文献１参照）。ドットコードは、紙等の印刷面（被読取面）にカーボンを含有した黒インクにより、微細で目に見えない点（潜在化されたドット）の集合を印刷したものである。このドットコードに特定波長の光として赤外光を照射し、反射光をＣ−ＭＯＳセンサで撮像すると、ドットの部分は黒く、他の印刷部分は白く写る。この画像から黒いドットの各座標データを解析することで、ドットコードに含まれる情報を得ることができる。
【０００５】
こうしたドットコードを読み取るための装置として、赤外光発光部とＣ−ＭＯＳセンサとを内蔵したペン型の読取機が用いられている（特許文献２参照）。このペン型の読取機をパーソナルコンピュータ等の情報処理装置に接続し、読取機で読み取ったドットコードを情報処理装置で解析することで、ドットコードに含まれる情報を得ることができる。
【０００６】
ところで、近年、携帯電話やタブレット型端末等の情報処理端末は高性能化し、撮像部を備えるとともに、パーソナルコンピュータと同等の処理能力を備えたものが多数商品化され、これらの情報処理端末を用いたバーコードやＱＲコード(登録商標)等の読み取りが可能となっている。
【０００７】
しかし、そのような情報処理端末でも、特定波長の光の発光を通じて潜在化されたコードの読み取りまでは行うことができなかった。
【先行技術文献】
【特許文献】
【０００８】
【特許文献１】特開平１０−２６１０５９号公報
【特許文献２】特開２００９−１１９６５５号公報
【発明の概要】
【発明が解決しようとする課題】
【０００９】
解決しようとする問題点は、特定波長の光を発光不能な情報処理端末において潜在化されたコードの読み取りができない点である。
【課題を解決するための手段】
【００１０】
本発明に係る端末用アダプタは、撮像部を有する情報処理端末に装着され特定波長の光によって被読取面に潜在するコードの読み取りを可能とする端末用アダプタであって、前記情報処理端末に設置され前記被読取面に対する読取部を有するアダプタ本体と、前記読取部に設けられて対向した前記被読取面のコードに特定波長の光を照射する光源と、前記読取部に設けられて前記被読取面からの反射光を受光し前記情報処理端末の前記撮像部へと導光する光学系と、を備えることを最も主要な特徴とする。
【発明の効果】
【００１１】
本発明の情報読取用アダプタは、上記構成であり、撮像部を有する情報処理端末に装着するだけで、これらの特定波長の光を発光不能な情報処理端末においてもコードの読み取りを可能とすることができる。
【図面の簡単な説明】
【００１２】
【図１】端末用アダプタが情報処理端末に取り付けられた状態を示す斜視図である（実施例１）。
【図２】端末用アダプタを示す斜視図である（実施例１）。
【図３】端末用アダプタおよび情報処理端末の概略構成図である（実施例１）。
【図４】端末用アダプタの制御を示すフローチャートである（実施例１）。
【図５】端末用アダプタが情報処理端末に取り付けられた状態を示す斜視図である（実施例２）。
【図６】端末用アダプタを示す斜視図である（実施例２）。
【図７】端末用アダプタを示す斜視図である（実施例３）。
【図８】端末用アダプタを示す斜視図である（実施例４）。
【図９】端末用アダプタを示す斜視図である（実施例５）。
【図１０】端末用アダプタを示す斜視図である（実施例６）。
【図１１】端末用アダプタおよび情報処理端末の概略構成図である（実施例７）。
【発明を実施するための形態】
【００１３】
特定波長の光が発光不能な情報処理端末においても潜在化されたコードの読み取りと解析を可能にするという目的を、情報処理端末に取り付けられるアダプタ本体の読取部に、被読取面のコードに特定波長の光を照射する光源及び前記被読取面からの反射光を受光する光学系とを備えることで実現させた。
【実施例１】
【００１４】
図１は、実施例１に係る端末用アダプタが情報処理端末に取り付けられた状態を示す斜視図である。図２は、実施例１に係る端末用アダプタを示す斜視図である。図３は、実施例１に係る端末用アダプタおよび情報処理端末の概略構成図である。なお、以下の説明においては、情報処理端末として多機能携帯電話（スマートフォン）Ｐを例に挙げて説明する。
【００１５】
図１に示すように、本実施例に係る端末用アダプタ１は、スマートフォンＰの撮像部２２（図３参照）に重ねるようにして用いられるものである。なお、スマートフォンＰの撮像部２２は、スマートフォンＰの外周側上面に位置し、例えばＣＣＤ（Charge Coupled Device）センサやＣＭＯＳ（Complementary Metal Oxide Semiconductor）センサ等を用いて構成されている。
【００１６】
端末用アダプタ１は、アダプタ本体１１と、光学系である近接レンズ１２および光源１３ａ、１３ｂを有する読取部３と、制御部１４と、電源としての電池１５と、プラグ１９と、を備えている。
【００１７】
アダプタ本体１１は樹脂製の筐体であり、一端側の上腕部１１ａ及びこの上腕部１１ａを支持する他端側の支持部１１ｃとを有する。上腕部１１ａは、板状に形成されてスマートフォンＰの外周側上面に載置されている。支持部１１ｃは、上腕部１１ａに一体に設けられると共に上腕部１１ａからスマートフォンＰの側面に沿って下方側に突出している。この支持部１１ｃは、突当部として機能し、その先端面がスマートフォンＰの側面に突き当てられることでスマートフォンＰの長手方向における位置決めがなされる。これにより、上腕部１１ａの先端側が、スマートフォンＰの撮像部２２上に位置決められる。
【００１８】
上腕部１１ａの先端側には、円柱状の読取部３が設けられている。読取部３には、透過板１２１、近接レンズ１２および光源１３ａ、１３ｂが設けられている。
【００１９】
透過板１２１は、特定波長の光である赤外光の透光性を有する板材であり、例えば透明な樹脂製の円板部材からなる。本実施例では、透過板１２１が読取部３の上面全体を覆っている。ただし、透過板１２１を省略し、それによって読取部３の上面に凹部を有する構造としても良い。端末用アダプタ１の使用時には、この透過板１２１が紙等の印刷面からなる被読取面Ｓに当接することで、被読取面Ｓの読取が行われる。なお、被読取面Ｓは、紙等の平面的なものの他、フィギュア等の立体的なものとすることができる。この透過板１２１の下側には、近接レンズ１２および光源１３ａ、１３ｂが設けられている。
【００２０】
近接レンズ１２は、例えば接近した対象物を歪みや曲がりなく撮像するためのマクロレンズ等からなる。近接レンズ１２は、読取部３の中心部に位置して、読取部３の上面を構成する透過板１２１の裏面から上腕部１１ａの下面にわたって設けられている。近接レンズ１２は、透過板１２１が被読取面Ｓに当接した状態において、当該被読取面Ｓにピントが合うように構成されている。なお、本実施例においては透過板１２１と被読取面Ｓとが当接した状態においてピントが合うように構成されているが、本発明においてはこれに限らず、透過板１２１と被読取面Ｓとが当接せず、所定の距離にあるときにピントが合うよう構成されてもよい。
【００２１】
近接レンズ１２の近傍には、２つの光源１３ａ、１３ｂが設けられている。光源１３ａ、１３ｂは、特定波長の光として赤外光ＩＲを発する光源であって、例えばＬＥＤによって構成されている。本実施例の光源１３ａ，１３ｂは、近接レンズ１２を中心にして対称に配置されている。光源１３ａ，１３ｂの先端は、透過板１２１の裏面に位置している。
【００２２】
光源１３ａ，１３ｂへの電源供給は、アダプタ本体１１内部に格納されている給電部としての電池１５により行われる。電池１５は、アダプタ本体１１の支持部１１ｃ内に収容されている。従って、支持部１１ｃは、電池１５の収容部を利用して構成することができる。
【００２３】
図３に示すように、光源１３ａ，１３ｂから照射された赤外光ＩＲは、潜在化されたコードである微細なドットコードＣを有する被読取面Ｓ上で反射する。ドットコードＣは、カーボンを含有した黒インクにより印刷されており、赤外光ＩＲを吸収するようになっている。反射された赤外光ＩＲ’（以下、「反射光ＩＲ’」と称する）は、透過板１２１、近接レンズ１２を経て、上腕部１１ａの下面側に位置するスマートフォンＰの撮像部２２に至り、結像される。結像画像（撮像画像）では、ドットコードＣに対応する部分が黒いドット状に表示される。
【００２４】
この撮像画像のドットの座標データ解析に基づき、スマートフォンＰの制御部２４がドットコードを解読するとともに、解読の結果得られた情報に基づき、画像や音声の出力、Ｗｅｂサイトへのアクセス等を行う。なお、スマートフォンＰの制御部２４は、ＣＰＵ、ＲＯＭ、ＲＡＭを有して構成され、スマートフォンＰの電源２５から電源供給を受けて動作する。
【００２５】
なお、図３においてはＩＲの反射を説明する便宜上透過板１２１と被読取面Ｓとの間に所定の間隔が設けられているが、本実施例では透過板１２１と被読取面Ｓとが当接した状態においてピントが合うように構成されている。
【００２６】
ただし、図３のように透過板１２１と被読取面Ｓとの間に所定の間隔が設けられていてもよく、近接レンズ１２のピントに応じて適宜設定される。
【００２７】
光源１３ａ，１３ｂのＯＮ／ＯＦＦ制御は、アダプタ本体１１内に設けられた制御部１４により行われる。制御部１４は、電池１５からの電源供給を受けて動作し、光源１３ａ，１３ｂの電源制御（照射制御）を行う簡易な照射制御機構であり、ＩＣチップ等により構成されている。制御部１４は、プラグ１９を介してスマートフォンＰの制御部２４と接続され、情報の授受が行われる。
【００２８】
プラグ１９は、スマートフォンＰに設けられた外部機器との通信用の接続端子に接続されるプラグである。例えば、プラグ１９は、スマートフォンＰのフォーンジャックに接続されるフォーンプラグとすることができる。端末用アダプタ１は、プラグ１９を介してスマートフォンＰに接続され、制御部１４は、スマートフォンＰの制御部２４からの制御信号を受信し、当該信号に基づき光源１３ａ、１３ｂのＯＮ／ＯＦＦ制御を行う。
【００２９】
次に、上述した端末用アダプタ１の制御部１４とスマートフォンＰの制御部２４とによる光源１３ａ、１３ｂのＯＮ／ＯＦＦ制御並びにドットコードＣの撮像の詳細（読取処理の詳細）について図４を用いて説明する。図４は、実施例１に係る端末用アダプタを備えたスマートフォンＰの読取処理を示すフローチャートである。
【００３０】
図４の読取処理は、スマートフォンＰに端末用アダプタ１を上記のように設置すると共に、スマートフォンＰの制御部２４でドットコードＣの読み取り及びそれに応じた処理を行う読取処理プログラムを実行することでスタートする。なお、読取処理プログラムは、予め制御部２４のＲＯＭやＲＡＭに記憶され、ＣＰＵにおいて実行される。
【００３１】
こうしてスタートした読取処理は、制御信号の送信及び端末用アダプタ１を用いたドットコードＣの撮像を行うが、これを被読取面Ｓの読取部３への対向に応じて制御する。本実施例においては、かかる制御を撮像部２２を通じて認識される明暗がトリガーとなっている。
【００３２】
すなわち、スマートフォンＰの制御部２４は、まず撮像部２２から入力される画像データの明るさ（光量）を測定する（ステップＳ１）。
【００３３】
次に、制御部２４は、ステップＳ１において測定された明るさが所定のしきい値以下か否かを判定する（ステップＳ２）。
【００３４】
明るさがしきい値以下である場合（ステップＳ２：Ｙｅｓ）、制御部２４は、プラグ１９を通じて端末用アダプタ１の制御部１４に対し、制御信号としての点灯要求を送信すると共に（ステップＳ３）、スマートフォンＰの撮像部２２に対する撮像要求を行う（ステップＳ４）。
【００３５】
つまり、撮像部２２から入力される画像が一定以上に暗い場合は、読取対象となる被読取面Ｓが撮像部２２上に位置していると判断し、端末用アダプタ１に対して読取動作を行わせることになる。
【００３６】
端末用アダプタ１側では、その制御部１４がスマートフォンＰの制御部２４からの点灯要求を受信し（ステップＳ２１）、電池１５から光源１３ａ，１３ｂへの通電を開始する（ステップＳ２２）。こうして光源１３ａ，１３ｂは、赤外光の照射を開始する。
【００３７】
このとき、スマートフォンＰ側では、ステップＳ４において行われた撮像要求に応じて、撮像部２２が光源１３ａ、１３ｂの赤外光照射に同期した撮像を行う。撮像された画像からは、ドットコードの解読が行われて、上記のようにスマートフォンＰでの画像や音声の出力、Ｗｅｂサイトへのアクセス等を行う。
【００３８】
一方、ステップＳ２において明るさがしきい値を越える場合（ステップＳ２：Ｎｏ）は、被読取面Ｓが撮像部２２上に位置していないと判断してステップＳ１に戻り、引き続き明るさの計測が行われる。
【００３９】
ステップＳ３において点灯要求を送信したスマートフォンＰの制御部２４は、光源１３ａ，１３ｂの消灯のために、再度、撮像部２２から入力される画像データの明るさを測定する（ステップＳ５）。
【００４０】
次に、制御部２４は、ステップＳ４において測定された明るさが所定のしきい値以下か否かを判定する（ステップＳ６）。
【００４１】
明るさがしきい値以下である場合（ステップＳ６：Ｙｅｓ）、制御部２４は被読取面Ｓが撮像後も撮像部２２上に位置していると判断してステップＳ５に戻る。
【００４２】
一方、ステップＳ６において明るさがしきい値を越える場合（ステップＳ６：Ｎｏ）、制御部２４は、被読取面Ｓが撮像部２２上から取り除かれたものと判断し、プラグ１９を通じて端末用アダプタ１の制御部１４に消灯要求（制御信号）を送信する（ステップＳ７）。
【００４３】
端末用アダプタ１側の制御部１４においては、スマートフォンＰの制御部２４からの消灯要求を受信し（ステップＳ２３）、電池１５から光源１３ａ、１３ｂへの通電を終了させる（ステップＳ２４）。こうして光源１３ａ、１３ｂは、赤外光の照射を終了する。
【００４４】
このように、端末用アダプタ１を備えたスマートフォンＰは、端末用アダプタ１の光源１３ａ、１３ｂを点灯させながら、これと同期させてドットコードＣの撮像を容易且つ確実に行わせることができる。
【００４５】
本実施例の光源１３ａ、１３ｂは、スマートフォンＰの制御部２４により点灯、消灯の制御を受ける。そのため、不使用時に光源１３ａ、１３ｂを消灯することができ、電池１５の消費を抑えることができる。
【００４６】
また、スマートフォンＰの制御部２４により光源１３ａ、１３ｂの点灯制御を行うため、端末用アダプタ１に複雑な制御機構を設ける必要がなく、端末用アダプタ１の製造コストを低く抑えることができるとともに、軽量小型化を図ることができる。
［実施例１の効果］
本実施例の端末用アダプタ１は、スマートフォンＰに設置され被読取面Ｓに対する読取部３を有するアダプタ本体１１と、読取部３に設けられて対向した被読取面ＳのドットコードＣに赤外光ＩＲを照射する光源１３ａ，１３ｂと、読取部３に設けられて被読取面Ｓからの反射光ＩＲ’を受光しスマートフォンＰの撮像部２２へと導光する近接レンズ１２とを備えている。
【００４７】
従って、本実施例の端末用アダプタ１では、撮像部２２を有するスマートフォンＰに装着するだけで、赤外光ＩＲを発光不能なスマートフォンＰの撮像部２２により、被読取面Ｓに潜在するドットコードＣの読み取りを可能とすることができる。
【００４８】
端末用アダプタ１では、アダプタ本体１１が、スマートフォンＰの側面に突き当てられて読取部３を撮像部２２に位置決める支持部１１ｃを備えている。
【００４９】
従って、本実施例の端末用アダプタ１では、確実な赤外光ＩＲの照射及び受光を通じて、被読取面ＳのドットコードＣの読み取りを確実に行わせることができる。
【００５０】
また、端末用アダプタ１は、被読取面Ｓの対向に応じて光源１３ａ，１３ｂのＯＮ／ＯＦＦ制御を行う制御部１４を備えているので、電池１５の消耗を抑制することができる。
【００５１】
本実施例の制御部１４は、近接レンズ１２からスマートフォンＰの撮像部２２へと至る光量の変化に基づいて光源１３ａ，１３ｂのＯＮ／ＯＦＦ制御をする制御回路であるので、被読取面Ｓの対向に応じた光源１３ａ，１３ｂのＯＮ／ＯＦＦ制御を確実に行うことができる。
【００５２】
本実施例では、給電部がアダプタ本体１１の支持部１１ｃ内に設けられた電池１５であるので、電池１５の収容部を利用して突当部としての支持部１１ｃを構成することができ、構造の簡素化を図ることができる。
【実施例２】
【００５３】
図５は、実施例２に係る端末用アダプタが情報処理端末に取り付けられた状態を示す斜視図である。図６は、実施例２に係る端末用アダプタを示す斜視図である。
【００５４】
本実施例に係る端末用アダプタ１は、アダプタ本体１１の形状が異なる他は、実施例１に係る端末用アダプタ１と同様の構成を備え、同様の制御が行われる。そのため、実施例１に係る端末用アダプタ１と同様の構成については同一の符号を付すと共に、ここでは主にアダプタ本体１１の形状について説明する。
【００５５】
図５および図６に示すように、アダプタ本体１１は、側面形状がＵ字状の可撓性を有する樹脂製の筐体であり、相互に間隔を空けて対向配置された上腕部１１ａ及び下腕部１１ｂと、両者間を接続する接続部１１ｃとを有する。本実施例の上腕部１１ａ及び下腕部１１ｂは、相互に平行になっている。このアダプタ本体１１は、上腕部１１ａおよび下腕部１２ｂが、スマートフォンＰに対する弾性変形可能な取付具としてのクリップとして機能する。
【００５６】
具体的には、上腕部１１ａおよび下腕部１１ｂがスマートフォンＰの筐体を表裏（上下）から弾性的に挟み込むことで、端末用アダプタ１をスマートフォンＰに取り付けることができる。なお、上腕部１１ａおよび下腕部１２ｂは弾性変形することができるため、スマートフォンＰからの端末用アダプタ１の取り外しも容易に行うことができる。また、アダプタ本体１１は、接続部１２ｃが当接部としてスマートフォンＰの側面に突き当てられることで、上腕部１１ａの先端側を撮像部２２に対して位置決めるようになっている。
【００５７】
端末用アダプタ１の近接レンズ１２とスマートフォンＰの撮像部２２との位置ずれを簡易な構成により防止することができ、当該位置ずれに起因するドットコードの読取エラーを効果的に防止することができる。また、位置ずれ防止のための機構が簡易なものであるため、端末用アダプタ１の製造コストを低く抑えることができる。
【００５８】
その他、上記実施例１と同様の作用効果を奏することができる。
【実施例３】
【００５９】
図７は、実施例２に係る端末用アダプタを示す斜視図である。
【００６０】
図７に示す本実施例に係る端末用アダプタ１は、光源１３ａ、１３ｂのＯＮ／ＯＦＦ制御機構として制御部１４の替わりにメカニカルスイッチ１６を備えたものである。その他は、実施例２に係る端末用アダプタ１と同様の構成を備えている。そのため、実施例２に係る端末用アダプタ１と同様の構成については同一の符号を付すと共に、ここでは主にメカニカルスイッチ１６について説明する。
【００６１】
メカニカルスイッチ１６は、端末用アダプタ１の上腕部１１ａの上面であって、読取部３に隣接した位置に設けられている。メカニカルスイッチ１６は、円柱状の基部１６ｂ及びこの基部１６ｂよりも細い円柱状の先端部１６ａを有して構成されている。基部１６ｂは、上腕部１１ａの上面から突出して、その上面が読取部３の上面よりも低く位置している。先端部１６ａは、基部１６ｂの上面から読取部３の上面よりも高い位置まで進退可能に突出している。
【００６２】
基部１６ｂの内部には、先端部１６ａを上方（図５における上方向）に向けて付勢する付勢部材（不図示）が設けられている。そのため、外力が加わらない状態においては、先端部１６ａは基部１６ｂから読取部３の上面よりも高い位置まで突出した状態を保つ。この状態では、メカニカルスイッチ１６がＯＦＦ状態となる。逆に、メカニカルスイッチ１６は、先端部１６ａが外力によって基部１６ｂに没入するとＯＮとなる。この構成により、メカニカルスイッチ１６は、先端部１６ａが読取部３上に対向した被読取面で押圧されてＯＮとなるようになっている。
【００６３】
具体的には、スマートフォンＰに端末用アダプタ１が取り付けられ、被読取面上のドットコードの読取が行われるときには、近接レンズ１２の上面が被読取面に密着される。その際、メカニカルスイッチ１６の先端部１６ａが被読取面に当接することで、先端部１６ａは基部１６ｂ内の付勢部材の付勢力に抗して基部１６ｂに押し込まれる。こうして先端部１６ａが押し込まれると、メカニカルスイッチ１６がＯＮとなり、電池１５から光源１３ａ、１３ｂへの通電が開始される。
【００６４】
上述した実施例３に係る端末用アダプタ１によっても、不使用時に光源１３ａ、１３ｂを消灯することができ、電池１５の消費を抑えることができる。また、制御部を設けることなく、単純な構成であるメカニカルスイッチ１６のみにより光源１３ａ、１３ｂの点灯制御を行うため、端末用アダプタ１の製造コストを低く抑えることができるとともに、軽量小型化を図ることができる。
【００６５】
その他、上記実施例２と同様の作用効果を奏することができる。なお、本実施例のメカニカルスイッチ１６は、実施例１の構造にも適用可能である。
【実施例４】
【００６６】
図８は、実施例４に係る端末用アダプタを示す斜視図である。
【００６７】
図８に示す本実施例に係る端末用アダプタ１は、光源１３ａ、１３ｂのＯＮ／ＯＦＦ制御機構として内部に制御部１４を備えると共に、ＣｄＳセンサ１７を備えている他は、実施例２に係る端末用アダプタ１と同様の構成を備えている。そのため、実施例２に係る端末用アダプタ１と同様の構成については同一の符号を付すと共に、ここでは主にＣｄＳセンサ１７について説明する。
【００６８】
ＣｄＳセンサ１７は、硫化カドミウム（ＣｄＳ）を使った光センサであり、読取部３の上面に設けられている。ＣｄＳセンサ１７は化合物半導体で、光を当てることで半導体内に光量に比例した自由電子が発生し、電流の流れに変化が生じ、抵抗値が下がる。この抵抗値の変化を制御部１４により検出し、光源１３ａ、１３ｂのＯＮ／ＯＦＦ制御を行う。
【００６９】
具体的には、被読取面上のドットコードの読取が行われる場合、被読取面に透過板１２１が接触する。このとき、ＣｄＳセンサ１７に当たる外部からの光量が減少するため、半導体の抵抗値が上昇する。制御部１４がこの抵抗値の上昇を検出すると、制御部１４は電池１５から光源１３ａ、１３ｂへの通電を開始し、光源１３ａ、１３ｂからの赤外光の照射が開始される。
【００７０】
上述した実施例４に係る端末用アダプタ１によると、不使用時に光源１３ａ、１３ｂを消灯することができ、電池１５の消費を抑えることができる。また、スマートフォンＰの制御部２４と通信する必要が無く、制御部２４との同期を取る必要もないため、端末用アダプタ１の制御部１４の構成を単純化することができ、端末用アダプタ１の製造コストを低く抑えることができる。
【００７１】
その他、上記実施例２と同様の作用効果を奏することができる。なお、本実施例のＣｄＳセンサ１７は、実施例１の構造にも適用可能である。
【実施例５】
【００７２】
図９は、実施例５に係る端末用アダプタを示す斜視図である。
【００７３】
図９に示す本実施例に係る端末用アダプタ１は、下腕部１１ｂの形状が異なる他は、実施例２に係る端末用アダプタ１と同様の構成を備えている。そのため、実施例２に係る端末用アダプタ１と同様の構成については同一の符号を付すと共に、ここでは主に下腕部１１ｂについて説明する。
【００７４】
本実施例に係る端末用アダプタ１では、下腕部１１ｂは、Ｕ字状をなす上腕部１１ａおよび１１ｂの伸長方向に対して垂直かつ上腕部１１ａの上面と平行な方向（第１方向）において上腕部１１ａよりも長く伸長している。また、下腕部１１ｂの第１方向の両端部には、上腕部１１ａの方向に垂直に突出して設けられた位置決め壁１１１ｂ、１１２ｂが設けられている。
【００７５】
位置決め壁１１１ｂ、１１２ｂ間の距離は、端末用アダプタ１がスマートフォンＰの幅方向の長さと略同一となっている。そのため、スマートフォンＰへの端末用アダプタ１の装着時に、スマートフォンＰの幅方向の側面に位置決め壁１１１ｂ、１１２ｂが当接することで、第１方向において端末用アダプタ１をスマートフォンＰに位置決めすることができる。また、接続部１１ｃの先端面がスマートフォンＰの側面に当接することでスマートフォンＰの長手方向（第２方向）における位置決めがされる。
【００７６】
そして、本実施例に係る端末用アダプタ１は、このように第１方向および第２方向において位置決めされた状態において、近接レンズ１２がスマートフォンＰの撮像部２２（図３参照）に重なる位置となるように構成されている。
【００７７】
上述した実施例５に係る端末用アダプタ１によると、端末用アダプタ１の近接レンズ１２とスマートフォンＰの撮像部２２との位置ずれを簡易な構成により防止することができ、当該位置ずれに起因するドットコードの読取エラーを効果的に防止することができる。また、位置ずれ防止のための機構が簡易なものであるため、端末用アダプタ１の製造コストを低く抑えることができる。
【００７８】
なお、位置決め壁１１１ｂ、１１２ｂ間の距離を調節可能な構成としてもよい。このような構成にすることで、スマートフォンＰの幅に関わらず、端末用アダプタ１をスマートフォンＰに対して位置決めすることができる。
【００７９】
その他、上記実施例２と同様の作用効果を奏することができる。
【実施例６】
【００８０】
図１０は、実施例６に係る端末用アダプタを示す斜視図である。
【００８１】
図１０に示す本実施例に係る端末用アダプタ１は、実施例１の上腕部１１ａの下面（図８における下方側の面）に、粘着性を有する粘着層１８が設けられたものである。その他は、実施例１に係る端末用アダプタ１と同様の構成を備えている。そのため、実施例１に係る端末用アダプタ１と同様の構成については同一の符号を付すと共に、ここでは主に粘着層１８について説明する。
【００８２】
本実施例に係る端末用アダプタ１では、上腕部１１ａの下面に粘着層１８が設けられている。そして、この粘着層１８が、端末用アダプタ１をスマートフォンＰに取り付ける取付具として機能する。なお、粘着層１８としては、シリコンシート等、粘着性を有し、粘着対象に着脱可能な素材であれば好適に用いることができる。また、接続部１１ｃの先端面がスマートフォンＰの側面に当接することでスマートフォンＰの長手方向における位置決めがされる。
【００８３】
この構成により、端末用アダプタ１をスマートフォンＰに装着した状態において、端末用アダプタ１が粘着層１８を介してスマートフォンＰに着脱可能に貼り付けられ、両者の位置ずれを効果的に防止することができる。
【００８４】
上述した本実施例に係る端末用アダプタ１によると、上腕部１１ａおよび粘着層１８という簡易な位置決め機構により、端末用アダプタ１のスマートフォンＰに対する位置ずれを効果的に防止することができ、当該位置ずれに起因するドットコードの読取エラーを効果的に防止することができる。
【００８５】
また、位置ずれ防止のための機構が簡易なものであるため、端末用アダプタ１の製造コストを低く抑えることができる。
さらに、位置決め機構が簡易な構成であるため、端末用アダプタ１の製造コストを低く抑えることができるとともに、端末用アダプタ１を軽量小型化することができる。
【００８６】
その他、上記実施例１と同様の作用効果を奏することができる。
【実施例７】
【００８７】
図１１は、実施例７に係る端末用アダプタおよび情報処理端末の概略構成図である。
【００８８】
図１１に示す本実施例に係る端末用アダプタ１は、実施例１の電池１５を省略して、スマートフォンＰ側から端末用アダプタ１側への給電を可能としたものである。その他は、実施例１に係る端末用アダプタ１と同様の構成を備えている。そのため、実施例１に係る端末用アダプタ１と同様の構成については同一の符号を付すと共に、ここでは主に給電に関する構造について説明する。
【００８９】
本実施例では、アダプタ本体１１のプラグ１９（図１及び図２参照）を、給電部として利用している。具体的には、プラグ１９をマイクロＵＳＢ等によって構成し、スマートフォンＰの電源２５から端末用アダプタ１へ給電を行うようになっている。
【００９０】
かかる構成により、端末用アダプタ１から電池１５を省略して、端末用アダプタ１を軽量小型化することができる。その他、上記実施例１と同様の作用効果を奏することができる。なお、本実施例の構成は、実施例２の構造にも適用可能である。
［その他］
本発明は上記各実施例において記載した構成に限られることなく、その目的を達成しうる範囲で、種々の変形をすることができる。
【００９１】
上記各実施例においては、端末用アダプタ１とスマートフォンＰとの間の情報の授受をプラグ１９を介して行っていたが、例えば無線通信により行うようにしてもよい。このような構成にすることで、端末用アダプタ１からプラグ１９を無くすことができ、端末用アダプタ１を更に軽量、小型化することができる。
【００９２】
また、上述した各実施例においては、情報処理端末の例としてスマートフォンＰを例に説明をしたが、他の種類の携帯電話、タブレット型携帯端末、携帯型ゲーム機、テレビ、パーソナルコンピュータなど、撮像装置を備える情報処理端末に対しても好適に用いることができる。
【００９３】
また、上述した各実施例においては、ドットコードに特定波長の光として赤外光を照射していたが、例えば紫外光等の他の特定波長の光を照射しても良い。この場合は、ドットコードを特定波長の光を吸収または反射する素材で印刷することで、上記実施例と同様の機能を得ることができる。紫外光を用いる場合は、蛍光染料によって潜在化されたドットコードやバーコード等の読取を行わせることができる。また、可視光を用いる場合は、微細なカラーコードによって潜在化されたコードを形成することも可能である。
【符号の説明】
【００９４】
１  端末用アダプタ
３  読取部
１１  アダプタ本体
１１ａ  上腕部
１１ｂ  下腕部
１２  近接レンズ（光学系）
１３ａ、１３ｂ  光源
１４  制御部（照射制御部）
１５  電池（給電部）
１９  プラグ
Ｐ  スマートフォン（情報処理端末）
【図１】
2013235532.tif 000003
【図２】
2013235532.tif 000004
【図３】
2013235532.tif 000005
【図４】
2013235532.tif 000006
【図５】
2013235532.tif 000007
【図６】
2013235532.tif 000008
【図７】
2013235532.tif 000009
【図８】
2013235532.tif 000010
【図９】
2013235532.tif 000011
【図１０】
2013235532.tif 000012
【図１１】
2013235532.tif 000013